(57)【特許請求の範囲】
【請求項１】
原稿を１枚ずつ分離給紙する分離給紙部から原稿情報を読み取る読取部まで搬送する途中で、原稿の搬送方向を反転して搬送する構成の原稿読取装置において、
前記読取部における原稿搬送方向の上流側に、原稿を読取部に対して所定の速度にて搬送する読取用搬送ローラを設置し、かつ前記読取部における原稿搬送方向の下流側に、原稿を外部へ排出する排紙ローラを設置し、前記分離給紙部と前記読取用搬送ローラ間に前記分離給紙部における原稿に対する搬送負荷を受け、搬送負荷のない状態で原稿を前記読取用搬送ローラへ送るための負荷除去用搬送ローラを設置してなる原稿読取装置であって、
１つの駆動モータから回転駆動力を受ける２つの系統の駆動系を配置し、一方の駆動系により前記分離給紙部と前記負荷除去用搬送ローラを駆動し、他方の駆動系により前記読取用搬送ローラと前記排紙ローラを駆動し、
前記一方の駆動系を歯車群構造とし、前記他方の駆動系をベルトを三角形状に架設してなるベルト構造とし、該ベルト構造の一斜辺部近傍に前記歯車群構造を配置し、
前記負荷除去用搬送ローラにより前記分離給紙部における原稿に対する搬送力を吸収し、かつ前記読取用搬送ローラにより前記所定の速度で原稿を前記読取部へ搬送するように、前記負荷除去用搬送ローラと前記読取用搬送ローラとの線速を設定したことを特徴とする原稿読取装置。
【発明の詳細な説明】
【０００１】
【発明の属する技術分野】
本発明は、ファクシミリ装置などの原稿情報読取部に適用され、原稿を１枚ずつ分離給紙して原稿情報を読取部において読み取る構成の原稿読取装置に関するものである。
【０００２】
【従来の技術】
図３は従来の原稿読取装置の一例における概略構成を示す構成図であり、１は原稿セット部２にセットされた原稿を搬送方向（矢印Ａ方向）へ給紙するピックアップローラ、３はピックアップローラ１から送られてきた原稿を１枚ずつ分離給紙するフィードローラ４と分離ローラ５で構成される分離給紙部、６は分離給紙部３の下方に設置されて原稿情報を光学的に読み取る読取センサ、７は分離給紙部３から送られてきた原稿を読取センサ６へ所定の速度にて送る読取用搬送ローラ、８は読み取り後の原稿を外部の原稿受け部９へ排出する排紙ローラである。
【０００３】
原稿は、原稿セット部２から原稿受け部９まで略Ｕ状の原稿搬送路１０を搬送される。すなわち原稿搬送路１０は、図に示すように、分離給紙部３を通過した後に搬送方向が右方向から左方向へと反転するように形成されている。
【０００４】
前記構成の原稿読取装置では、原稿セット部２にセットされた原稿は、原稿上面まで下降するピックアップローラ１によって分離給紙部３方向へ給紙される。分離給紙部３では、フィードローラ４と分離ローラ５と原稿同士とのそれぞれの間における摩擦係数の差による公知の分離給紙作用が働き、原稿が１枚ずつ捌かれて搬送方向の下流側へ送られる。
【０００５】
この後、原稿先端が原稿搬送路１０の円弧部１０ａを通って読取用搬送ローラ７に達すると、原稿は読取用搬送ローラ７により所定の速度で読取センサ６へ送られ、読取センサ６によって原稿情報が読み取られることになる。読取後の原稿は排紙ローラ８により原稿受け部９へ排出される。
【０００６】
【発明が解決しようとする課題】
このような従来の原稿読取装置において、原稿を分離給紙部３から読取センサ６まで搬送する構成のものでは、原稿後端が分離給紙部３を通過した時点で発生する読取センサ６における原稿画像の揺らぎが重要な解決課題である。特に図３に示すように、略Ｕ状の原稿搬送路１０が用いられて、分離給紙部３と読取センサ６との間で原稿の搬送方向が反転される構成のものでは、原稿の安定した搬送がより問題となる。
【０００７】
このため、従来では、分離給紙部３の駆動系と読取用搬送ローラ７の駆動系とを独立させ、さらに各駆動系に独立した駆動モータをそれぞれ設置し、原稿の搬送を安定させ前記原稿の揺らぎを防止するようにしていた。
【０００８】
しかしながら、前記のように、複数の駆動系に独立した駆動モータを設置することは構造を複雑にし、かつコストアップの原因となっていた。
【０００９】
本発明の目的は、前記従来の課題を解決し、分離給紙部を通過した原稿が読取部において安定して搬送され、しかも１つの駆動モータによって原稿読取部分における駆動を可能した原稿読取装置を提供することにある。
【００１０】
【課題を解決するための手段】
前記目的を達成するため、請求項１記載の発明は、原稿を１枚ずつ分離給紙する分離給紙部から原稿情報を読み取る読取部まで搬送する途中で、原稿の搬送方向を反転して搬送する構成の原稿読取装置において、前記読取部における原稿搬送方向の上流側に、原稿を読取部に対して所定の速度にて搬送する読取用搬送ローラを設置し、かつ前記読取部における原稿搬送方向の下流側に、原稿を外部へ排出する排紙ローラを設置し、前記分離給紙部と前記読取用搬送ローラ間に前記分離給紙部における原稿に対する搬送負荷を受け、搬送負荷のない状態で原稿を前記読取用搬送ローラへ送るための負荷除去用搬送ローラを設置してなる原稿読取装置であって、１つの駆動モータから回転駆動力を受ける２つの系統の駆動系を配置し、一方の駆動系により前記分離給紙部と前記負荷除去用搬送ローラを駆動し、他方の駆動系により前記読取用搬送ローラと前記排紙ローラを駆動し、前記一方の駆動系を歯車群構造とし、前記他方の駆動系をベルトを三角形状に架設してなるベルト構造とし、該ベルト構造の一斜辺部近傍に前記歯車群構造を配置し、前記負荷除去用搬送ローラにより前記分離給紙部における原稿に対する搬送力を吸収し、かつ前記読取用搬送ローラにより前記所定の速度で原稿を前記読取部へ搬送するように、前記負荷除去用搬送ローラと前記読取用搬送ローラとの線速を設定したことを特徴とし、この構成によって、分離給紙部における原稿に対する搬送負荷は、原稿が読取用搬送ローラに達する前に負荷除去用搬送ローラによって除去されるため、原稿の読取部への搬送が安定して行われる。また、１つの駆動モータを使用し、該駆動モータから２つの駆動系を分けることにより、分離給紙部における作用力が読取用搬送ローラに原稿を介して直接伝わらないようにすることができるため、読取用搬送ローラの線速に影響を与えず、良好な読み取りが可能になる。さらに、両駆動系に対してそれぞれ異なる条件設定にすることができ、また、両駆動系を近接して配置することができるなど、この種の駆動系として構造を複雑にすることなく、小型化を図ることができ、コストアップとならない。
【００１５】
【発明の実施の形態】
以下、本発明の好適な実施形態について図面を参照しながら説明する。
【００１６】
図１は本発明の実施形態を説明するための原稿読取装置の概略構成図である。なお、図３にて説明した部材に対応する部材には同一符号を付して詳しい説明は省略する。
【００１７】
図１に示す装置と図３に示す装置とで異なる構成は、分離給紙部３と読取用搬送ローラ７との間の原稿搬送路１０に、負荷除去用搬送ローラ１１を設置した点であり、読取用搬送ローラ７と負荷除去用搬送ローラ１１とにおける線速に差異をもたせることにより、分離給紙部３において加わった原稿に対する搬送負荷を負荷除去用搬送ローラ１１において吸収して、読取用搬送ローラ７に対して分離給紙部３からのテンションなどの作用力が直接的に伝わることを防いでいる。
【００１８】
図２は本実施形態における駆動系の構成図であり、２０は駆動モータ、２１は駆動モータ２０の出力軸２２に設けられた駆動プーリ、２３は読取用搬送ローラ７と同軸に設けられた第１の従動プーリ、２４は排紙ローラ８と同軸に設けられた第２の従動プーリ、２５は駆動プーリ２１，第１の従動プーリ２３，第２の従動プーリ２４とに架設されたベルトであり、これらにより、読取駆動系が構成されている。
【００１９】
また、２６は駆動モータ２０の出力軸２２に設けられた駆動歯車、２７は駆動歯車２６から回転駆動力を受ける複数の中間歯車からなる歯車群、２８は、負荷除去用搬送ローラ１１と同軸に設けられて、歯車群２７から回転駆動力を受ける従動歯車であり、さらに従動歯車２８から分離給紙部３に対して図示しない歯車群等を介して回転駆動力が伝達されるようになっており、これらにより、分離搬送駆動系が構成されている。
【００２０】
このように本実施形態では、１つの駆動モータ２０から読取駆動系と分離搬送駆動系との２系統の駆動系を配置して、トルク変動が負荷除去用搬送ローラ１１から読取用搬送ローラ７に直接伝わることを防止して、分離給紙部３における搬送負荷が読取用搬送ローラ７に伝わらないようにしているため、読取用搬送ローラ７における線速が変化せず、読取センサ６における良好な読み取りが可能になる。
【００２１】
また、駆動モータ２０の出力軸２２を介して伝達されるトルク変動は不可避であるが、この変動は極めて小さいため問題が少ないといえる。しかし、本実施形態では、前記変動の影響を極力抑えるために、読取駆動系においてベルト駆動を採用している。すなわち、ベルト駆動をすることによりバックテンション，ベルトの撓みなどによりトルク変動を吸収して読取用搬送ローラ７に変動が伝わらないようにすることにより、読取用搬送ローラ７の線速に影響を与えないようにすることができる。このため、読取駆動系を分離搬送駆動系とは独立した駆動系にすることと相俟って、読取センサ６におけるジッタのきわめて少ない読み取りが可能となる。
【００２２】
【発明の効果】
以上説明したように、本発明によれば、原稿を分離給紙部から原稿情報を読み取る読取部まで搬送する途中で、原稿の搬送方向を反転して搬送する構成の原稿読取装置において、分離給紙部における原稿に対する搬送負荷が負荷除去用搬送ローラによって除去されるため、読取用搬送ローラによる読取部への原稿の搬送が安定して行われ、また、１つの駆動モータを使用し、該駆動モータから２つの駆動系に分けることにより、分離給紙部における作用力が読取用搬送ローラに原稿を介して直接伝わらないようにすることができるため、読取用搬送ローラの線速に影響を与えず、良好な読み取りが可能になる。さらに、両駆動系に対してそれぞれ異なる条件設定にすることができ、また、両駆動系を近接して配置することができるなど、この種の駆動系として構造を複雑にすることなく、小型化を図ることができ、コストアップとならない。
【図面の簡単な説明】
【図１】本発明の実施形態を説明するための原稿読取装置の概略構成図
【図２】本発明の実施形態における駆動系の構成図
【図３】従来の原稿読取装置の一例における概略構成を示す構成図
【符号の説明】
３  分離給紙部
６  読取センサ
７  読取用搬送ローラ
１０  原稿搬送路
１１  負荷除去用搬送ローラ
２０  駆動モータ
２１，２３，２４  プーリ
２５  ベルト
２６  駆動歯車
２７  歯車群
２８  従動歯車
【図１】
0003911116.tif 000002
【図２】
0003911116.tif 000003
【図３】
0003911116.tif 000004